【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
第１の変化識別子を有するコンテンツ・プロバイダによってコンテンツ・アイテムを配信する方法であって、
関数によって前記コンテンツ・アイテムに第１のラベルを割り当てるステップと、
前記第１の変化識別子で前記第１のラベルを暗号化することによって、鍵を求める要求を作成するステップと、
暗号化された前記要求を認証手段へ送るステップと、
前記認証手段から前記第１のラベルに対する鍵および第２の変化識別子を受け取るステップと、
前記第２の変化識別子で前記第１のラベルを暗号化するステップと、
受け取られた前記鍵で前記コンテンツ・アイテムを暗号化するステップと、
暗号化された前記第１のラベルを、アイデンティティおよび第３の変化識別子とともに消費者へ送るステップと、
前記第３の変化識別子を用いて、受け取られた暗号化された前記第１のラベルを暗号化することにより、前記消費者による暗号化解除の要求を作成するステップと、
暗号化解除を求める前記要求を前記認証手段へ送るステップと、
前記認証手段から暗号化解除鍵および第４の変化識別子を受け取るステップと、
前記コンテンツ・プロバイダから、暗号化済みの前記コンテンツ・アイテムを受け取るステップと
を備える方法。
【請求項２】
請求項１に記載の方法であって、前記ラベルが、前記コンテンツ・アイテムに関する有用な情報を含まない、方法。
【請求項３】
請求項１に記載の方法であって、
前記認証手段から前記コンテンツ・アイテムに対する前記第１のラベルを受け取るステップと、
前記認証手段から受け取られた前記暗号化解除鍵で、暗号化済みの前記コンテンツの暗号化解除を行うステップと、
前記関数を用いて、暗号化解除済みの前記コンテンツに対する第２のラベルを作成するステップと、
前記第２のラベルが前記第１のラベルに一致することを検証するステップと
を更に備える方法。
【請求項４】
請求項１に記載の方法であって、
前記第１のラベル、前記消費者の前記アイデンティティ、および第５の変化識別子を含む受領証を作成するステップと、
前記受領証を前記コンテンツ・プロバイダへ送るステップと
を更に備える方法。
【請求項５】
請求項４に記載の方法であって、前記受領証が、前記第２の変化識別子で暗号化される、方法。
【請求項６】
請求項４に記載の方法であって、前記第１、第２、および第３の変化識別子を使用済みとマーク付けするステップを更に備える方法。
【請求項７】
請求項１に記載の方法であって、前記暗号化解除鍵が、前記コンテンツ・アイテムを暗号化するために使用される前記受け取られた鍵である、方法。
【請求項８】
コンテンツ・アイテムを配信する方法であって、
それぞれのコンテンツ・アイテムにラベルを割り当てるステップと、
それぞれのコンテンツ・アイテムに対する透かしを生成するステップと、
それぞれのコンテンツ・アイテムに透かしを適用して、透かし入りコンテンツを作成するステップと、
それぞれの透かし入りコンテンツに対する鍵を認証手段へ要求するステップと、
前記認証手段からそれぞれの透かし入りコンテンツに対する鍵を受け取るステップと、
受け取られた前記鍵を用いて、それぞれの透かし入りコンテンツ・アイテムを暗号化するステップと、
それぞれの暗号化済み透かし入りコンテンツをサービス・プロバイダへ送るステップと、
第１の部分および鍵を有する第１の変化識別子を要求するステップと、
前記第１の変化識別子からの前記鍵で前記ラベルおよび前記透かしの関数を暗号化するステップと、
前記第１の変化識別子の前記第１の部分を、前に暗号化された前記ラベルおよび前記透かしの関数とグループ化して、１次ライセンスを作成するステップと、
前記１次ライセンスを前記サービス・プロバイダへ送るステップと、
アイデンティティおよび第２の変化識別子を有する消費者から、コンテンツ・アイテムを求める要求を受け取るステップと、
前記１次ライセンスを前記消費者へ送るステップと、
前記消費者により受け取られた前記１次ライセンスを検証するステップと、
前記消費者により受け取られた前記１次ライセンスが検証された場合、前記消費者へ前記サービス・プロバイダから暗号化済みの透かし入りの前記コンテンツを送るステップと、
前記消費者によって受け取られた前記１次ライセンスが検証された場合、前記消費者へ前記認証手段から暗号化解除鍵を送るステップと
を備える方法。
【請求項９】
請求項８に記載の方法であって、それぞれの透かしが異なるものである、方法。
【請求項１０】
請求項８に記載の方法であって、要求された前記鍵が、前記コンテンツ・プロバイダによって提供される既知の識別子と関連付けられる、方法。
【請求項１１】
請求項８に記載の方法であって、前記暗号化解除鍵が、前記透かし入りコンテンツを暗号化するために使用される、要求された前記鍵である、方法。
【請求項１２】
請求項８に記載の方法であって、それぞれの１次ライセンスは、１つの消費者のみへ送られる、方法。
【請求項１３】
請求項８に記載の方法であって、前記消費者によって受け取られた前記１次ライセンスを検証するステップが、
前記消費者の前記第２の変化識別子で前記１次ライセンスを暗号化するステップと、
暗号化された前記１次ライセンスを前記認証手段へ送るステップと、
暗号化された前記１次ライセンスを暗号化解除して、前記１次ライセンスを取り出すステップと、
前記１次ライセンスを暗号化解除して、前記ラベルおよび前記透かしの関数を取り出すステップと、
前記サービス・プロバイダに対する受領証を生成するステップと
を備える、
方法。
【請求項１４】
請求項１３に記載の方法であって、前記サービス・プロバイダに対する前記受領証が、前記消費者の前記アイデンティティと前記１次ライセンスとを連結したものを含む、方法。
【請求項１５】
請求項１３に記載の方法であって、前記サービス・プロバイダに知られている変化識別子を用いて、前記サービス・プロバイダに対する前記受領証を暗号化するステップを更に備える方法。
【請求項１６】
請求項８に記載の方法であって、前記消費者へ第３の変化識別子を送るステップを更に備える方法。
【請求項１７】
請求項１６に記載の方法であって、前記第２の変化識別子を使用済みとマーク付けするステップを更に備える方法。
【請求項１８】
請求項１７に記載の方法であって、前記第１の変化識別子を使用済みとマーク付けするステップを更に備える方法。
【請求項１９】
請求項８に記載の方法であって、前記コンテンツ・プロバイダに対する受領証を生成するステップを更に備える方法。
【請求項２０】
請求項１９に記載の方法であって、前記コンテンツ・プロバイダの前記受領証が、前記消費者の前記アイデンティティと、前記ラベルと、前記透かしの前記関数とを連結したものである、方法。
【請求項２１】
請求項１９に記載の方法であって、前記コンテンツ・プロバイダに知られている変化識別子で、前記コンテンツ・プロバイダに対する前記受領証を暗号化するステップを更に備える方法。
【請求項２２】
コンテンツ・アイテムを配信する方法であって、
それぞれのコンテンツ・アイテムにラベルを割り当てるステップと、
それぞれのコンテンツ・アイテムに対する透かしを生成するステップと、
それぞれのコンテンツ・アイテムに透かしを適用して、透かし入りコンテンツを作成するステップと、
それぞれの透かし入りコンテンツに対しての鍵を認証手段へ要求するステップと、
前記認証手段からそれぞれの透かし入りコンテンツに対する鍵を受け取るステップと、
受け取られた前記鍵を用いて、それぞれの透かし入りコンテンツ・アイテムを暗号化するステップと、
それぞれの暗号化済みの透かし入りのコンテンツをサービス・プロバイダへ送るステップと、
第１の部分および鍵を有する第１の変化識別子を要求するステップと、
前記第１の変化識別子からの前記鍵を用いて、前記ラベルおよび前記透かしの関数を暗号化するステップと、
前記第１の変化識別子の前記第１の部分を、前に暗号化された前記ラベルおよび前記透かしの関数とグループ化して、１次ライセンスを作成するステップと、
前記１次ライセンスを前記サービス・プロバイダへ送るステップと、
前記サービス・プロバイダによって第１の部分および鍵を有する第２の変化識別子を要求するステップと、
前記第２の変化識別子からの前記鍵を用いて、前記コンテンツ・プロバイダから受け取られた前記１次ライセンスを暗号化するステップと、
前記第２の変化識別子の前記第１の部分を、前に暗号化された前記１次ライセンスとグループ化して、配信可能ライセンスを作成するステップと、
アイデンティティおよび第３の変化識別子を有する消費者から、コンテンツ・アイテムを求める要求を受け取るステップと、
前記配信可能ライセンスを前記消費者へ送るステップと、
前記消費者により受け取られた前記配信可能ライセンスを検証するステップと、
前記消費者により受け取られた前記配信可能ライセンスが検証された場合、前記消費者へ前記サービス・プロバイダから、暗号化済みの透かし入りの前記コンテンツを送るステップと、
前記消費者により受け取られた前記配信可能ライセンスが検証された場合、前記消費者へ前記認証手段から暗号化解除鍵を送るステップと
を備える方法。
【請求項２３】
請求項２２に記載の方法であって、それぞれの透かしが異なるものである、方法。
【請求項２４】
請求項２２に記載の方法であって、要求された前記鍵が、前記コンテンツ・プロバイダによって提供される既知の識別子と関連付けられる、方法。
【請求項２５】
請求項２２に記載の方法であって、前記前記消費者へ前記認証手段から前記暗号化解除鍵を送る前記ステップが、前記透かし入りコンテンツを暗号化するために使用される前記要求された前記鍵を送るステップを備える方法。
【請求項２６】
請求項２２に記載の方法であって、それぞれの配信可能ライセンスが、１つの消費者のみへ送られる、方法。
【請求項２７】
請求項２２に記載の方法であって、前記消費者により受け取られた前記配信可能ライセンスを検証する前記ステップが、
前記消費者の前記第３の変化識別子で、前記配信可能ライセンスを暗号化するステップと、
暗号化された前記配信可能ライセンスを前記認証手段へ送るステップと、
暗号化された前記配信可能ライセンスを暗号化解除して、前記配信可能ライセンスを取り出すステップと、
前記配信可能ライセンスを暗号化解除して、前記１次ライセンスを取り出すステップと、
前記１次ライセンスを暗号化解除して、前記ラベルおよび前記透かしの関数を取り出すステップと、
前記サービス・プロバイダに対する受領証を生成するステップと
を備える、
方法。
【請求項２８】
請求項２２に記載の方法であって、前記サービス・プロバイダに対する受領証を生成する前記ステップが、一般の前記消費者のアイデンティティを前記１次ライセンスに連結するステップを備える、方法。
【請求項２９】
請求項２２に記載の方法であって、前記サービス・プロバイダに知られている変化識別子を用いて、前記サービス・プロバイダに対する前記受領証を暗号化するステップを更に備える方法。
【請求項３０】
請求項２２に記載の方法であって、前記消費者へ第４の変化識別子を送るステップを更に備える方法。
【請求項３１】
請求項３０に記載の方法であって、前記第３の変化識別子を使用済みとマーク付けするステップを更に備える方法。
【請求項３２】
請求項２２に記載の方法であって、前記第１および第２の変化識別子を使用済みとマーク付けするステップを更に備える方法。
【請求項３３】
請求項２２に記載の方法であって、前記コンテンツ・プロバイダに対する受領証を生成するステップを更に備える方法。
【請求項３４】
請求項３３に記載の方法であって、前記コンテンツ・プロバイダに対する前記受領証が、前記消費者のアイデンティティと、前記ラベルと、前記透かしの前記関数とを連結したものを含む、方法。
【請求項３５】
請求項３３に記載の方法であって、前記コンテンツ・プロバイダに知られている変化識別子を用いて、前記コンテンツ・プロバイダに対する前記受領証を暗号化するステップを更に備える方法。
【請求項３６】
コンテンツ・アイテムを配信する方法であって、
コンテンツ・アイテムにラベルを割り当てるステップと、
前記ラベルに関連付けられた第１の暗号化鍵を前記認証手段へ要求するステップと、
前記第１の暗号化鍵で前記コンテンツ・アイテムを暗号化して、暗号化済みコンテンツを作成するステップと、
前記暗号化済みコンテンツを、通信リンクを介してサービス・プロバイダへ送るステップと、
透かしを生成するステップと、
第１の部分および鍵を有する第１の変化識別子を、前記認証手段へ要求するステップと、
前記第１の変化識別子からの前記鍵を用いて、前記ラベルおよび前記透かしを暗号化して、第１の暗号化済みラベルを作成するステップと、
前記第１の変化識別子の前記第１の部分を、前記第１の暗号化済みラベルとグループ化して、第１の暗号化済み透かしを作成するステップと、
アイデンティティおよび第２の変化識別子を有する消費者から、通信リンクを介してコンテンツ・アイテムを求める要求を受け取るステップと、
前記第１の暗号化済み透かしを、通信リンクを介して前記認証手段へ送るステップと、
前記認証手段から、通信リンクを介して、前記ラベル、前記透かし、第１の暗号化解除鍵、および第２の暗号化鍵を受け取るステップと、
前記第１の暗号化解除鍵を用いて前記暗号化済みコンテンツの暗号化解除を行い、前記コンテンツ・アイテムを得るステップと、
前記透かしを前記コンテンツ・アイテムに適用して、透かし入りコンテンツを得るステップと、
前記第２の暗号化鍵で前記透かし入りコンテンツを暗号化して、暗号化済み透かし入りコンテンツを作成するステップと、
第３の部分および第３の鍵を有する第３の変化識別子を要求するステップと、
前記第３の変化識別子の前記第３の鍵で、前記ラベルおよび前記透かしを暗号化して、第２の暗号化済みラベルを作成するステップと、
前記第３の変化識別子の前記第３の部分を前記第２の暗号化済みラベルとグループ化して、第２の暗号化済み透かしを作成するステップと、
前記第２の暗号化済み透かしを、通信リンクを介して前記消費者へ送るステップと、
前記消費者の前記アイデンティティを検証するステップと、
前記消費者の前記アイデンティティが検証された場合、通信リンクを介して前記消費者へ前記サービス・プロバイダから前記暗号化済み透かし入りコンテンツを送るステップと、
前記消費者の前記アイデンティティが検証された場合、通信リンクを介して前記消費者へ前記認証手段から第２の暗号化解除鍵を送るステップと
を備える方法。
【請求項３７】
請求項３６に記載の方法であって、それぞれの透かしが異なるものである複数の透かしを生成するステップを更に備える方法。
【請求項３８】
請求項３６に記載の方法であって、前記認証手段へ前記第１の暗号化鍵を要求したときに、前記第１の暗号化鍵が、前記コンテンツ・プロバイダによって提供される既知の識別子と関連付けられる、方法。
【請求項３９】
請求項３６に記載の方法であって、前記第２の暗号化解除鍵が、前記透かし入りコンテンツを暗号化するために使用される前記第２の暗号化鍵である、方法。
【請求項４０】
請求項３６に記載の方法であって、前記第２の暗号化済み透かしが、１つの消費者のみへ送られる、方法。
【請求項４１】
請求項３６に記載の方法であって、前記消費者の前記アイデンティティを検証する前記ステップが、
前記消費者の前記第２の変化識別子に含まれる鍵を用いて前記第２の暗号化済み透かしを暗号化して、二重に暗号化した透かしを作成するステップと、
前記二重に暗号化した透かしを前記認証手段へ送るステップと、
前記二重に暗号化した透かしの暗号化解除を行い、前記第２の暗号化済み透かしを取り出すステップと、
前記第２の暗号化済み透かしの暗号化解除を行い、前記ラベルおよび透かしを取り出すステップと、
前記サービス・プロバイダに対する受領証を生成するステップと
を備える、
方法。
【請求項４２】
請求項４１に記載の方法であって、前記サービス・プロバイダに対しての前記受領証が、前記消費者のアイデンティティと前記第２の暗号化済み透かしとを連結したものを含む、方法。
【請求項４３】
請求項４１に記載の方法であって、前記サービス・プロバイダに知られている変化識別子で、前記サービス・プロバイダに対する前記受領証を暗号化するステップを更に備える方法。
【請求項４４】
請求項４１に記載の方法であって、前記消費者へ第４の変化識別子を送るステップを更に備える方法。
【請求項４５】
請求項４４に記載の方法であって、前記第２の変化識別子を使用済みとマーク付けするステップを更に備える方法。
【請求項４６】
請求項３６に記載の方法であって、前記第１および第３の変化識別子を使用済みとマーク付けするステップを更に備える方法。
【請求項４７】
請求項３６に記載の方法であって、前記コンテンツ・プロバイダに対する受領証を生成するステップを更に備える方法。
【請求項４８】
請求項４７に記載の方法であって、前記コンテンツ・プロバイダに対する前記受領証が、前記消費者の前記アイデンティティと、前記ラベルと、前記透かしの関数とを連結したものを含む、方法。